(57)【要約】【課題】学習者（回答者）が、複数の設問全体を見て、その中から、あらかじめ定められている設問順にとらわれず、回答したい設問を任意に選択して回答できる形式のコンピュータ学習システムであって、学習者（回答者）がより効率よく、より正確な知識の習得を図ることを促すコンピュータ学習システムを提供する。【解決手段】設問・解答肢データベース中に保存されている設問が選択された際に、当該選択された設問に対する正解の数以上の回答欄を表示して学習者（回答者）に回答を促すことにより課題を解決した。【選択図】      図１
2004258403.tif 000002
【特許請求の範囲】
【請求項１】
設問と、当該設問に対する一又は複数の正解と少なくとも１個以上の不正解例とからなる複数の解答肢とが関連付けられて記憶されている第一の設問・解答肢データベース中で選択された設問に対する正解の数以上の数の回答欄を画像表示する第一の回答欄表示手段と、
当該選択された設問に関連付けられて記憶されている前記複数の解答肢を画像表示する解答肢表示手段と、
前記画像表示されている複数の解答肢中、情報取得手段で取得した回答情報に従って、当該回答情報で取得した解答肢を前記画像表示されている解答欄中に表示する第一の回答情報表示手段と、
前記情報取得手段で取得した回答情報と、前記第一の設問・解答肢データベース中の前記選択された設問に関連付けられて記憶されている正解とを比較・判定する第一の回答判定手段と、
当該第一の回答判定手段の判定結果に基づき、前記回答欄中において、当該回答欄に表示されている回答情報中、正解又は不正解のいずれか一方、又は双方についてそれぞれ正解又は不正解であることを表示する第一の判定情報表示手段と、
前記第一の設問・解答肢データベース中の前記選択された設問に関連付けられて記憶されている正解であって、前記第一の回答判定手段で不正解と判定された回答情報に置き換えられるべき正解が存在する場合に、少なくとも、当該不正解と判定された回答情報に置き換えられるべき正解を画像表示する第一の添削情報表示手段と
を備えていることを特徴とする学習システム。
【請求項２】
回答情報と、前記第一の設問・解答肢データベース中の前記選択された設問に関連付けられて記憶されている正解とを第一の回答判定手段によって比較・判定する処理は、情報取得手段で比較・判定処理実行指示情報を取得した後に開始されることを特徴とする請求項１記載の学習システム。
【請求項３】
設問と、当該設問に対する１又は複数の正解文と、当該１又は複数の各正解文を複数の文節に分けた複数の正解文節と、当該各正解文節ごとにあらかじめ定められている少なくとも１個以上の不正解文節例とが関連付けられて記憶されている第二の設問・解答肢データベース中で選択された設問に対する正解文の数以上の数の回答欄を画像表示する第二の回答欄表示手段と、
当該選択された設問に関連付けられて記憶されている前記複数の正解文節と、当該各正解文節ごとにあらかじめ定められている前記少なくとも１個以上の不正解文節例とを、前記正解文を複数に分けた各正解文節と当該各正解文節に対してあらかじめ定められている少なくとも１個以上の不正解文節例のグループに分けて、各グループごとに画像表示する解答文節群表示手段と、
解答文節群として各グループごとに画像表示されている前記正解文を複数に分けた各正解文節と当該各正解文節に対してあらかじめ定められている少なくとも１個以上の不正解文節例の各グループから、情報取得手段で取得した回答情報に従って、正解文節又は不正解文節を取り出し、情報取得手段で取得した回答情報に含まれている順位情報に従って並べて回答文として、解答文作製作業欄に画像表示する第二の回答情報表示手段と、
情報取得手段で取得した確定情報に基づき、回答文作製作業欄に画像表示されている回答文を前記回答欄に表示する確定解答表示手段と、
当該回答欄に表示された回答文と、前記第二の設問・解答肢データベース中の前記選択された設問に関連付けられて記憶されている正解文及び／又は各正解文における複数の正解文節とを比較・判定する第二の回答判定手段と、
当該第二の回答判定手段の判定結果に基づき、前記回答欄中において、当該回答欄に表示されている回答文中、正解の回答文又は不正解の回答文のいずれか一方、又はこれらの双方、若しくは、当該回答欄に表示されている回答文中の、正解文節又は不正解の文節のいずれか一方、又はこれらの双方、についてそれぞれ正解又は不正解であることを表示する第二の判定情報表示手段と、
前記第二の設問・解答肢データベース中の前記選択された設問に関連付けられて記憶されている正解文であって前記第二の回答判定手段で不正解と判定された解答文に置き換えられるべき正解文が存在する場合、又は、前記正解文を複数の文節に分けた複数の正解文節であって前記第二の回答判定手段で不正解と判定された文節に置き換えられるべき正解文節が存在する場合に、少なくとも、当該不正解と判定された回答文又は不正解と判定された文節に置き換えられるべき正解文及び／又は正解文節を画像表示する第二の添削情報表示手段と
を備えていることを特徴とする学習システム。
【請求項４】
回答情報と、前記第二の設問・解答肢データベース中の前記選択された設問に関連付けられて記憶されている正解文及び／又は各正解文における複数の正解文節とを第二の解答判定手段によって比較・判定する処理は、情報取得手段で比較・判定処理実行指示情報を取得した後に開始されることを特徴とする請求項３記載の学習システム。
【請求項５】
設問と当該設問に対する一又は複数の正解文、又は、設問と当該設問に対する一又は複数の正解文と当該正解文中においてあらかじめ定められている一又は複数のキーワード、又は、設問と当該設問に対する一又は複数の正解文と当該正解文中においてあらかじめ定められている一又は複数のキーワードと当該キーワードが前記正解文中に登場するあらかじめ定められている順番、とが関連付けられて記憶されている第三の設問・解答肢データベース中で選択された設問に対する正解文の数以上の数の回答欄を画像表示する第三の回答欄表示手段と、
情報取得手段で取得した回答情報に含まれている回答文を前記画像表示されている回答欄中に表示する第三の回答情報表示手段と、
前記情報取得手段で取得した回答文と、前記第三の設問・解答肢データベース中の前記選択された設問に関連付けられて記憶されている正解文とを比較・判定する第三の回答判定手段と、
当該第三の解答判定手段の判定結果に基づき、前記回答欄に表示されている回答文が正解であること、又は不正解であることを表示する第三の判定情報表示手段と、
前記第三の設問・解答肢データベース中の前記選択された設問に関連付けられて記憶されている正解文、又は、設問に関連付けられて記憶されている正解文と当該正解文中においてあらかじめ定められている一又は複数のキーワードとを画像表示する第三の添削情報表示手段と
を備えていることを特徴とする学習システム。
【請求項６】
第三の回答判定手段による、回答文と、前記第三の設問・解答肢データベース中の前記選択された設問に関連付けられて記憶されている正解文とを比較・判定する処理は、あらかじめ定められている前記正解文中におけるキーワードが前記回答文中に登場する程度、又は、あらかじめ定められている前記正解文中におけるキーワードが前記回答文中に登場する程度と当該キーワードが前記回答文中に登場するあらかじめ定められている順序とに基づいて行われることを特徴とする請求項５記載の学習システム。
【請求項７】
回答文と、前記第三の設問・解答肢データベース中の前記選択された設問に関連付けられて記憶されている正解文とを第三の解答判定手段によって比較・判定する処理は、情報取得手段で比較・判定処理実行指示情報を取得した後に開始されることを特徴とする請求項５又は６記載の学習システム。
【請求項８】
設問と当該設問に対する正、誤いずれかの解答とが対になっている一つの基本問題と、当該基本問題と正解が反対になるように当該基本問題の設問の文章表現が変更されている修正設問と前記基本問題と正解が反対になっている当該修正設問に対する解答とが対になっている修正問題を少なくとも一個含む前記基本問題の設問の文章表現が変更されている修正設問と当該修正設問に対する正、誤いずれかの解答とが対になっている少なくとも一個以上の修正問題とからなる設問―選択肢グループが少なくとも一グループ以上記憶されている第四の設問・解答肢データベース中から一個の設問―選択肢グループが選択されるたびごとに、当該選択された設問―選択肢グループに属する前記一個の基本問題及び前記少なくとも一個以上の修正問題の総てを画面に表示する順序を無作為的に決定する設問出力順序選定手段を備えていることを特徴とする学習システム。
【発明の詳細な説明】
【０００１】
【発明の属する技術分野】
この発明は、コンピュータを利用し、学習者（回答者）が複数候補の中から正解を選択して回答するコンピュータ利用の学習システム及び、学習者（回答者）が文章で入力して回答するコンピュータ利用の学習システム、並びに学習者（回答者）が問題文に対する正、誤いずれかの回答を入力するコンピュータ利用の学習システムに関する。
【０００２】
【従来の技術】
従来、コンピュータを利用したコンピュータ学習システムとしては、例えば、コンピュータの画面に問題として表示された文章の一部に虫食い的に設定された空欄部分に対する複数の解答文例（あるいは単語）候補を当該コンピュータの画面に表示し、学習者（回答者）が当該複数の解答文例（あるいは単語）候補中の正しいと思う候補を一つ選択して当該コンピュータに入力するのに応じて、当該選択・入力された回答が正しいかどうか判定表示すると供に、正解を表示して教えるようにしたものが知られている。
【０００３】
前述したようなコンピュータ学習システムでは、一般的に、システムを設計した側（コンピュータ学習システムの提供者）があらかじめ設定している設問順に回答するのが一般的であり、学習者（回答者）が、複数の設問全体を見て、その中から回答したい設問を任意に選択して回答できるものではなかった。
【０００４】
また、前述したようなコンピュータ学習システムでは、正解の数に等しい回答欄が準備されているのが一般的であった。このため、学習者（回答者）は、たとえ解答文例（あるいは単語）候補が多数存在していても、回答欄の数に等しい数の解答文例候補を選択して入力（回答）すればよいので、あいまいな知識の状態でも、正解にたどり着けることがあった。
【０００５】
結局のところ、従来のコンピュータ学習システムにおいては、学習者が能動的に回答できるのは、あらかじめ解答肢として準備されている中から、回答欄の数に応じて選択するという極めて単純な答えに限られていた。
【０００６】
更に、設問に対して文章で回等する場合にも正解の数に等しい回答欄が準備され、複数の解答文例候補は一まとまりの一文として例示されているのが一般的で、この場合にも、学習者（回答者）は、回答欄の数に等しい数の解答文例候補を選択して入力（回答）すればよいので、あいまいな知識の状態でも、正解にたどり着けることがあった。
【０００７】
また、設問に対して文章入力で回答文を受ける場合、この回答文の正誤判定は、一般的に、設問に対してあらかじめ定められている正解文と回答文とが完全に一致するか否かで行われていた。回答文を手書きで提出し添削するシステムでは、判定者（添削者）の裁量によって、設問に対してあらかじめ定められている正解文と回答文とが完全に一致していなくても、一定の範囲内では正解として取り扱われるが、前記のように、正解文と回答文とが完全に一致するか否かで正誤判定が行われてしまう従来のコンピュータ学習システムでは極めて限られた範囲での学習効果しか発揮されなかった。
【０００８】
また、設問に対する解答が正、誤いずれかになっている形式の問題、いわゆる多肢選択式の問題では、過去の本試験に出題された問題を何度も繰り返して学習するのが一般的であるが、何度も繰り返して学習している間に、学習者が問題文の字面とこの字面に対する答（正、誤いずれか）を覚えてしまい、学習の意味がなくなるということがある。これを防止するために、字面は過去の本試験に出題された問題のものと若干相違しているが、解答の正、誤がまったく逆になっている問題、等をいくつか作り、問題をよく読み、考えなければ正解になかなかたどり着けなくなるような工夫がされているものがある。コンピュータ利用の学習システムでも、多肢選択式の問題の学習を行う場合には、このように、過去の本試験に出題された問題と、この問題文の字面を若干変えて正、誤を逆にした問題等々を次々にコンピュータの画面に表示して回答させるようにしている。
【０００９】
しかし、このような従来のコンピュータ学習システムでは、何度も繰り返して学習している間に、学習者が問題文の字面とこの字面に対する答（正、誤いずれか）を覚えなくても、一番目は正、二番目は誤、三番目は誤のように、出題順序によって答を覚えてしまい、やはり、学習の意味を無くしてしまうというおそれがあった。
【００１０】
【特許文献１】
特開平９−３３００１１号公報
【００１１】
【発明が解決しようとする課題】
この発明は、前述した従来のコンピュータ学習システムに存在していた問題点を解決することを目的にしている。
【００１２】
すなわち、この発明は、学習者（回答者）が、複数の設問全体を見て、その中から、あらかじめ定められている設問順にとらわれず、回答したい設問を任意に選択して回答できる形式のコンピュータ学習システムを提案することを目的としている。
【００１３】
また、この発明は、学習者（回答者）がより効率よく、より正確な知識の習得を図ることを促すコンピュータ学習システムを提案することを目的にしている。
【００１４】
また、この発明は、設問に対して文章で回答する形式の場合に、一まとまりの文章として知識を習得するだけでなく、解答文を複数の文節に分け、正解文を構成する各文節と、当該正解文を構成する各文節の並ぶ順序・組み合わせをより正確に身につけることを促すコンピュータ学習システムを提案することを目的としている。
【００１５】
更に、設問に対して文章で回答する形式の場合であって、学習者（回答者）が自分で回答文を作成して回答するときに、設問に対してあらかじめ定められている正解文と回答文とが完全に一致していなくても、一定の範囲内では正解として取り扱うことを可能にできるコンピュータ学習システムを提案することを目的としている。
【００１６】
また、この発明は、設問に対する解答が正、誤いずれかになっている形式、いわゆる多肢選択式の問題を学習するシステムをコンピュータ利用の学習システムとして提供する場合に、学習者が問題文の字面とこの字面に対する答（正、誤いずれか）を覚えたり、一番目は正、二番目は誤、三番目は誤のように、出題順序によって答を覚えたりすることによって、学習の意味が無くなるおそれを未然に防止し、コンピュータの画面に表示される問題ごとに、学習者が問題をよく読み、考えなければ正解になかなかたどり着けないようにして学習の効果をあげることのできるコンピュータを利用した学習システムを提案することを目的としている。
【００１７】
【課題を解決するための手段】
前記目的を達成するため、この発明が提案するコンピュータ学習システムは、コンピュータを利用する学習システムであって、以下に説明する第一の回答欄表示手段と、解答肢表示手段と、第一の回答情報表示手段と、第一の回答判定手段と、第一の判定情報表示手段と、第一の添削情報表示手段とを備えていることを特徴とするものである。
【００１８】
ここで、第一の回答欄表示手段は、設問と、当該設問に対する一又は複数の正解と少なくとも１個以上の不正解例とからなる複数の解答肢とが関連付けられて記憶されている第一の設問・解答肢データベース中で選択された設問に対する正解の数以上の数の回答欄をコンピュータの画面などに画像表示するコンピュータの処理動作部である。
【００１９】
前記の解答肢表示手段は、前記の選択された設問に関連付けられて前記第一の設問・解答肢データベース中に記憶されている前記複数の解答肢をコンピュータの画面などに画像表示するコンピュータの処理動作部である。
【００２０】
また、前記の第一の回答情報表示手段は、前記画像表示されている複数の解答肢中、キーボード、ポインティングデバイス等のコンピュータに備えられている情報取得手段で取得した回答情報に従って、当該回答情報で取得した解答肢を前記画像表示されている回答欄中に表示するコンピュータの処理動作部である。
【００２１】
前記の第一の解答判定手段は、前記情報取得手段で取得した回答情報と、前記第一の設問・解答肢データベース中の前記選択された設問に関連付けられて記憶されている正解とを比較・判定するコンピュータの処理動作部である。
【００２２】
前記の第一の判定情報表示手段は、前記の第一の回答判定手段の判定結果に基づき、前記回答欄中において、当該回答欄に表示されている回答情報中、正解又は不正解のいずれか一方、又は双方についてそれぞれ正解又は不正解であることをコンピュータの画面などに表示するコンピュータの処理動作部である。
【００２３】
例えば、この第一の判定情報表示手段によって、正解であると判定された回答情報、あるいは不正解であると判定された回等情報のいずれか一方について、コンピュータの画面の回答欄に表示されている回答情報がハイライト表示される。あるいは、正解であると判定された回答情報、不正解であると判定された回答情報の双方が、それぞれ、正解、不正解であると認識できるようにハイライト表示されたり、カラー表示されたりする。
【００２４】
更に、前記の第一の添削情報表示手段は、前記第一の設問・解答肢データベース中の前記選択された設問に関連付けられて記憶されている正解であって、前記第一の回答判定手段で不正解と判定された回答情報に置き換えられるべき正解が存在する場合に、少なくとも、当該不正解と判定された回答情報に置き換えられるべき正解をコンピュータの画面などに画像表示するコンピュータの処理動作部である。
【００２５】
即ち、前記の第一の添削情報表示手段は、前記第一の設問・解答肢データベース中の前記選択された設問に関連付けられて記憶されている正解であって、前記第一の回答判定手段で不正解と判定された回答情報に置き換えられるべき正解が存在する場合に、当該不正解と判定された回答情報に置き換えられるべき正解をコンピュータの画面などに画像表示するものであり、この当該不正解と判定された回答情報に置き換えられるべき正解に追加して、それ以外の正解（回答欄中において、当該回答欄に表示されている回答情報中、前記の第一の回答判定手段によって正解であると判定されている正解）も、コンピュータの画面などに画像表示することができる。
【００２６】
なお、前記第一の設問・解答肢データベース中の前記選択された設問に関連付けられて記憶されている正解であって、前記第一の回答判定手段で不正解と判定された回答情報に置き換えられるべき正解は存在しない場合、即ち、正解は総て回答されているが、正解以外に不正解もが回答情報として与えられている場合に、当該不正解と判定された回答情報を削除すべき旨を表示する情報をコンピュータの画面などに画像表示する第一の削除情報表示手段を更に備えている構成にすることもできる。
【００２７】
なお、以上説明した本発明の学習システムにおいて、第一の回答判定手段による回答情報と、前記第一の設問・解答肢データベース中の前記選択された設問に関連付けられて記憶されている正解とを比較・判定する処理は、キーボード、ポインティングディバイス等のコンピュータに備えられている情報取得手段で比較・判定処理実行指示情報を取得した後に開始されるようにすることができる。
【００２８】
すなわち、学習者（回答者）が、回答を終えたと判断して、第一の回答判定手段による比較・判定処理の実行を求めるという指示を入力した後に、初めてこの比較・判定処理が行われる学習システムにすることができる。
【００２９】
もちろん、このような構成にせずに、学習者（回答者）がキーボード、ポインティングディバイス等のコンピュータに備えられている情報取得手段を用いて回答情報を入力すると自動的に第一の回答判定手段による比較・判定処理が開始され、引き続いて、前述した第一の判定情報表示手段、第一の添削情報表示手段、第一の削除情報表示手段による処理が行われるようにすることもできる。
【００３０】
前述した本発明の学習システムは、第一の回答欄表示手段、解答肢表示手段、第一の回答情報表示手段、第一の回答判定手段、第一の判定情報表示手段、第一の添削情報表示手段の前述した各処理動作をコンピュータに行わせるコンピュータプログラムをコンピュータで実行させることにより実現できるものである。また、第一の削除情報表示手段をも備えている構成にする場合には、前記のコンピュータプログラムであって、更に、前述した第一の削除情報表示手段の処理動作をコンピュータに行わせるコンピュータプログラムをコンピュータで実行させることにより前述した本発明の学習システムを実現できる。
【００３１】
本発明の前述した学習システムによれば、設問が選択された場合、第一の回答欄表示手段は、当該選択された設問に関連付けられて第一の設問・解答肢データベース中に記憶されている正解の数以上の数の回答欄をコンピュータの画面などに画像表示するようになっている。また、解答肢表示手段は、前記の選択された設問に関連付けられて第一の設問・解答肢データベース中に記憶されている前記複数の解答肢（前記の選択された設問に対する一又は複数の正解と少なくとも１個以上の不正解例とからなる複数の解答肢）をコンピュータの画面などに画像表示するようになっている。
【００３２】
そこで、学習者（回答者）が、複数の解答肢の中から回答欄の数に等しい数だけ解答肢を選択して入力しても全体としては正解にならない場合があり得るので、学習者（回答者）は正確な知識を身に付けるよう促されることになる。
【００３３】
次に、前記目的を達成するため、本発明が提案する他の学習システムは、コンピュータを利用する学習システムであって、以下に説明する第二の回答欄表示手段と、解答文節群表示手段と、第二の回答情報表示手段と、確定回答表示手段と、第二の回答判定手段と、第二の判定情報表示手段と、第二の添削情報表示手段とを備えていることを特徴とするものである。
【００３４】
ここで、第二の回答欄表示手段は、設問と、当該設問に対する１又は複数の正解文と、当該１又は複数の各正解文を複数の文節に分けた複数の正解文節と、当該各正解文節ごとにあらかじめ定められている少なくとも１個以上の不正解文節例とが関連付けられて記憶されている第二の設問・解答肢データベース中で選択された設問に対する正解文の数以上の数の回答欄をコンピュータの画面などに画像表示するコンピュータの処理動作部である。
【００３５】
また、解答文節群表示手段は、前記の選択された設問に関連付けられて記憶されている前記複数の正解文節と、当該各正解文節ごとにあらかじめ定められている前記少なくとも１個以上の不正解文節例とを、前記正解文を複数に分けた各正解文節と当該各正解文節に対してあらかじめ定められている少なくとも１個以上の不正解文節例のグループに分けて、各グループごとにコンピュータの画面などに画像表示するコンピュータの処理動作部である。
【００３６】
第二の回答情報表示手段は、解答文節群として各グループごとに画像表示されている前記正解文を複数に分けた各正解文節と当該各正解文節に対してあらかじめ定められている少なくとも１個以上の不正解文節例の各グループ中から、キーボード、ポインティングデバイス等のコンピュータに備えられている情報取得手段で取得した回答情報に従って、正解文節又は不正解文節を取り出し、前記の情報取得手段で取得した回答情報に含まれている順位情報に従って並べて解答文として、コンピュータの画面などに画像表示されている回答文作製作業欄に画像表示するコンピュータの処理動作部である。
【００３７】
前記の順位情報は、解答文節群の各グループごとにあらかじめ、第一番目になる文節、第二番目になる文節、第三番目になる文節、等々として順位付けられており、学習者（回答者）が各グループから文節を選択し、取り出すことを指示すると、その選択した回答情報に自動的に順位情報が含まれている構成にすることができる。
【００３８】
また、学習者（回答者）が各グループから選択し、取り出すことを指示した文節ごとに、第一番目になる文節、第二番目になる文節、第三番目になる文節、等々の順位情報をも、キーボード、ポインティングデバイス等のコンピュータに備えられている情報取得手段を通して入力する構成にすることもできる。
【００３９】
確定回答表示手段は、前記の情報取得手段で取得した確定情報に基づき、回答文作製作業欄に画像表示されている回答文を前記回答欄に表示するコンピュータの処理動作部である。
【００４０】
第二の回答判定手段は、前記の回答欄に表示された回答文と、前記第二の設問・解答肢データベース中の前記選択された設問に関連付けられて記憶されている正解文及び／又は各正解文における複数の正解文節とを比較・判定するコンピュータの処理動作部である。
【００４１】
すなわち、この第二の解答判定手段では、回答文の全体が正解文に合っているかどうか、あるいは、回答文を複数の文節に分けた各文節が、各正解文節に合っているかどうか、あるいは、回答文の全体として正解文に合っているかどうか、なおかつ、回答文を複数の文節に分けた各文節が各正解文節に合っているかどうかを判定するコンピュータの処理動作部である。
【００４２】
第二の判定情報表示手段は、前記の第二の回答判定手段の判定結果に基づき、前記回答欄中において、当該回答欄に表示されている回答文中、正解の回答文又は不正解の回答文のいずれか一方、又はこれらの双方、若しくは、当該回答欄に表示されている回答文中の、正解文節又は不正解の文節のいずれか一方、又はこれらの双方、についてそれぞれ正解又は不正解であることをコンピュータの画面などに表示するコンピュータの処理動作部である。
【００４３】
例えば、この第二の判定情報表示手段によって、回答欄に表示されている回答文中、正解の回答文について正解であることがコンピュータの画面にハイライト表示されたり、あるいは、回答欄に表示されている回答文中、不正解の回答文について不正解であることがコンピュータの画面にハイライト表示されたり、若しくは、回答欄に表示されている回答文中、正解の回答文について正解であることがコンピュータの画面にハイライト表示されると共に、不正解の回答文について不正解であることがコンピュータの画面にカラー表示される。あるいは、この第二の判定情報表示手段によって、回答欄に表示されている回答文中の、正解の文節（正解文節）について正解であることがコンピュータの画面にハイライト表示されたり、あるいは、回答欄に表示されている回答文中の、不正解の文節（不正解文節）について不正解であることがコンピュータの画面にハイライト表示されたり、若しくは、回答欄に表示されている回答文中の、正解文節について正解であることがコンピュータの画面にハイライト表示されると共に、不正文節について不正解であることがコンピュータの画面にカラー表示される。
【００４４】
あるいは、第二の判定情報表示手段によって、回答欄に表示されている回答文中、正解の回答文について正解であることがコンピュータの画面にハイライト表示され、回答欄に表示されている回答文中の不正文節について不正解であることがコンピュータの画面にカラー表示される。
【００４５】
第二の添削情報表示手段は、前記第二の設問・解答肢データベース中の前記選択された設問に関連付けられて記憶されている正解文であって前記第二の回答判定手段で不正解と判定された回答文に置き換えられるべき正解文が存在する場合、又は、前記正解文を複数の文節に分けた複数の正解文節であって前記第二の回答判定手段で不正解と判定された文節に置き換えられるべき正解文節が存在する場合に、少なくとも、当該不正解と判定された回答文又は不正解と判定された文節に置き換えられるべき正解文及び／又は正解文節をコンピュータの画面などに画像表示するコンピュータの処理動作部である。
【００４６】
即ち、前記の第二の添削情報表示手段は、前記第二の設問・解答肢データベース中の前記選択された設問に関連付けられて記憶されている正解文であって前記第二の回答判定手段で不正解と判定された回答文に置き換えられるべき正解文が存在する場合、又は、前記正解文を複数の文節に分けた複数の正解文節であって前記第二の回答判定手段で不正解と判定された文節に置き換えられるべき正解文節が存在する場合に、当該不正解と判定された回答情報に置き換えられるべき正解（正解文又は正解文節）をコンピュータの画面などに画像表示するものであり、この当該不正解と判定された回等情報に置き換えられるべき正解（正解文又は正解文節）に追加して、それ以外の正解（回答欄中において、当該回答欄に表示されている回答情報中、前記の第二の回答判定手段によって正解であると判定されている正解文）も、コンピュータの画面などに画像表示することができる。
【００４７】
なお、前記第二の設問・解答肢データベース中の前記選択された設問に関連付けられて記憶されている正解であって、前記第二の回答判定手段で不正解と判定された回答情報に置き換えられるべき正解は存在しない場合、即ち、正解は総て回答されているが、正解以外に不正解もが回答情報として与えられている場合に、当該不正解と判定された回等情報を削除すべき旨を表示する情報をコンピュータの画面などに画像表示する第二の削除情報表示手段を更に備えている構成にすることもできる。
【００４８】
なお、以上説明した本発明の学習システムにおいて、回答情報と、前記第二の設問・解答肢データベース中の前記選択された設問に関連付けられて記憶されている正解文及び／又は各正解文における複数の正解文節とを第二の回答判定手段によって比較・判定する処理は、キーボード、ポインティングディバイス等のコンピュータに備えられている情報取得手段で比較・判定処理実行指示情報を取得した後に開始されるようにすることができる。
【００４９】
すなわち、学習者（回答者）が、回答を終えたと判断して、第二の回答判定手段による比較・判定処理の実行を求めるという指示を入力した後に、初めてこの比較・判定処理が行われる学習システムにすることができる。
【００５０】
もちろん、このような構成にせずに、学習者（回答者）がキーボード、ポインティングディバイス等のコンピュータに備えられている情報取得手段を用いて回答情報を入力すると自動的に第二の回答判定手段による比較・判定処理が開始され、引き続いて、前述した第二の判定情報表示手段、第二の添削情報表示手段、第二の削除情報表示手段による処理が行われるようにすることもできる。
【００５１】
前記の本発明の他の学習システムによれば、設問が選択された場合、第二の回答欄表示手段は、当該選択された設問に関連付けられて第二の設問・解答肢データベース中に記憶されている正解文の数以上の数の回答欄をコンピュータの画面などに画像表示するようになっている。そして、解答文節群表示手段が、前記の選択された設問に関連付けられて第二の設問・解答肢データベース中に記憶されている前記複数の正解文節と、当該各正解文節ごとにあらかじめ定められている前記少なくとも１個以上の不正解文節例とを、前記正解文を複数に分けた各正解文節と当該各正解文節に対してあらかじめ定められている少なくとも１個以上の不正解文節例のグループに分けて、各グループごとにコンピュータの画面などに画像表示する。
【００５２】
学習者（回答者）が、各グループ中から正解文節または不正解文節例を選択して取り出す旨と、これらの選択したものが並べられる順番を指示して回答文を作成して回等すると、第二の回答判定手段が、前記の回答欄に表示された回答文と、前記第二の設問・解答肢データベース中の前記選択された設問に関連付けられて記憶されている正解文及び／又は各正解文における複数の正解文節とを比較・判定する処理を行い、この判定結果に基づき、第二の判定情報表示手段によって、前記回答欄中において、当該回答欄に表示されている回答文中、正解の回答文又は不正解の回答文のいずれか一方、又はこれらの双方、若しくは、当該回答欄に表示されている回答文中の、正解文節又は不正解の文節のいずれか一方、又はこれらの双方、についてそれぞれ正解又は不正解であることがコンピュータの画面などに表示される（例えば、ハイライト表示される）。
【００５３】
更に、第二の添削情報表示手段によって、前記第二の設問・解答肢データベース中の前記選択された設問に関連付けられて記憶されている正解文であって前記第二の解答判定手段で不正解と判定された回答文に置き換えられるべき正解文が存在する場合、又は、前記正解文を複数の文節に分けた複数の正解文節であって前記第二の回答判定手段で不正解と判定された文節に置き換えられるべき正解文節が存在する場合に、少なくとも、当該不正解と判定された回答文又は不正解と判定された文節に置き換えられるべき正解文及び／又は正解文節がコンピュータの画面などに表示される。
【００５４】
そこで、前述した本発明の他の学習システムを利用して学習する者は、回答欄の数に合わせて回答文を作成するだけでは全体としては正解にならい場合があり得るので、正確な知識を身に付けるように促されることになる。更に、正解の回答文（すなわち正解文）がそれぞれ複数の文節に分けられ、この複数に分けられた文節（すなわち正解文節）のそれぞれごとに、正解文中における文節（正解文節）の他に、不正解の文節（不正解文節）が解答文節候補として例示されているので、学習者は、この複数の解答文節候補の中から正解文を構築する正解文節を正しく選択し、正しく順番付けて一文の回答文として回答しなければならないので、正確な知識を身に付けるようにより一層強く促されることになる。
【００５５】
前述した本発明の他の学習システムも、第二の回答欄表示手段、解答文節群表示手段、第二の回答情報表示手段、確定回答表示手段、第二の回答判定手段、第二の判定情報表示手段、第二の添削情報表示手段の前述した各処理動作をコンピュータに行わせるコンピュータプログラムをコンピュータで実行させることにより実現できるものである。また、第二の削除情報表示手段をも備えている構成にする場合には、前記のコンピュータプログラムであって、更に、前述した第二の削除情報表示手段の処理動作をコンピュータに行わせるコンピュータプログラムをコンピュータで実行させることにより前述した本発明の学習システムを実現できる。
【００５６】
前記目的を達成するため、この発明が提案する更に他の学習システムは、コンピュータを利用する学習システムであって、以下に説明する第三の回答欄表示手段と、第三の回答情報表示手段と、第三の回答判定手段と、第三の判定情報表示手段と、第三の添削情報表示手段とを備えていることを特徴とするものである。
【００５７】
ここで、第三の回答欄表示手段は、設問と当該設問に対する一又は複数の正解文、又は、設問と当該設問に対する一又は複数の正解文と当該正解文中においてあらかじめ定められている一又は複数のキーワード、又は、設問と当該設問に対する一又は複数の正解文と当該正解文中においてあらかじめ定められている一又は複数のキーワードと当該キーワードが前記正解文中に登場するあらかじめ定められている順番、とが関連付けられて記憶されている第三の設問・解答肢データベース中で選択された設問に対する正解文の数以上の数の回答欄を画像表示するコンピュータの処理動作部である。
【００５８】
また、第三の回答情報表示手段は、キーボード、ポインティングデバイス等のコンピュータに備えられている情報取得手段で取得した回答情報に含まれている回答文を前記画像表示されている回答欄中に表示するコンピュータの処理動作部である。
【００５９】
また、第三の回答判定手段は、前記情報取得手段で取得した回答文と、前記第三の設問・解答肢データベース中の前記選択された設問に関連付けられて記憶されている正解文とを比較・判定するコンピュータの処理動作部である。
【００６０】
第三の判定情報表示手段は、当該第三の回答判定手段の判定結果に基づき、前記回答欄に表示されている回答文が正解であること、又は不正解であることを表示するコンピュータの処理動作部である。
【００６１】
更に、第三の添削情報表示手段は、前記第三の設問・解答肢データベース中の前記選択された設問に関連付けられて記憶されている正解文、又は、設問に関連付けられて記憶されている正解文と当該正解文中においてあらかじめ定められている一又は複数のキーワードとをコンピュータの画面などに画像表示するコンピュータの処理動作部である。
【００６２】
なお、ここで、第三の回答判定手段による、回答文と、前記第三の設問・解答肢データベース中の前記選択された設問に関連付けられて記憶されている正解文とを比較・判定する処理は、あらかじめ定められている前記正解文中におけるキーワードが前記回答文中に登場する程度、又は、あらかじめ定められている前記正解文中におけるキーワードが前記回答文中に登場する程度と当該キーワードが前記回答文中に登場するあらかじめ定められている順序とに基づいて行われるようにすることができる。
【００６３】
即ち、この発明の学習システムの提供者（出題者）が設問に対してあらかじめ定めていた正解文におけるいくつかのキーワードが学習者（回答者）からキーボード等を介して入力された回答文中に存在しているかどうかを判断することにより、選択された設問に対する正解であるかどうかを判定するものである。あるいは、前記のキーワードだけでなく、当該キーワードが登場する順番をもあらかじめ定めておき、この発明の学習システムの提供者（出題者）があらかじめ定めている順番通りに前記のキーワードが回答文中に登場しているかどうかも加味して選択された設問に対する正解であるかどうかを判定するものである。
【００６４】
これによって、キーワードやその登場順序を除いて、回答文中の表現があらかじめ定められていた正解文と多少相違していても、正解と判定することができる。また、正解文中の一つの単語や、一つの文節、等に対して、同様の意味内容・意義を有していたり、同様の法律効果を生じさせる他の単語や文節を複数個キーワードとして定めておくことにより、設問に対してあらかじめ定められていた正解文とほぼ完全に一致していなければ正解と判定されない、というような従来のコンピュータ利用の学習システムに存在していた不都合を解消することができる。
【００６５】
なお、第三の解答判定手段による判定処理をこのようにする場合、回答欄に表示されている回答文が正解であること、又は不正解であることを表示する第三の判定情報表示手段による処理動作を、回答文中において適切でなかったキーワード（すなわち、正解文中に登場すべきであルキーワードに代わって回答文中に登場している間違ったキーワードや、正しいキーワードであるにもかかわらず登場箇所・登場順序が間違っているもの、等）をハイライト表示する処理動作にすることもできる。
【００６６】
なお、この学習システムにおいても、回答文と、前記第三の設問・解答肢データベース中の前記選択された設問に関連付けられて記憶されている正解文とを第三の回答判定手段によって比較・判定する処理は、キーボード、ポインティングディバイス等のコンピュータに備えられている情報取得手段で比較・判定処理実行指示情報を取得した後に開始されるようにすることができる。
【００６７】
すなわち、学習者（回答者）が、回答を終えたと判断して、第三の回答判定手段による比較・判定処理の実行を求めるという指示を入力した後に、初めてこの比較・判定処理が行われる学習システムにすることができる。
【００６８】
もちろん、このような構成にせずに、学習者（回答者）がキーボード、ポインティングディバイス等のコンピュータに備えられている情報取得手段を用いて回答文を入力すると自動的に第三の回答判定手段による比較・判定処理が開始され、引き続いて、前述した第三の判定情報表示手段、第三の添削情報表示手段による処理が行われるようにすることもできる。
【００６９】
前記の本発明の更に他の学習システムによれば、設問が選択された場合、第三の回答欄表示手段は、当該選択された設問に関連付けられて第三の設問・解答肢データベース中に記憶されている正解文の数以上の数の回答欄をコンピュータの画面などに画像表示するようになっている。
【００７０】
そこで、前述した本発明の更に他の学習システムを利用して学習する者は、回答欄の数に合わせて回答文を作成するだけでは全体としては正解にならい場合があり得るので、正確な知識を身に付けるように促されることになる。
【００７１】
一方、第三の回答判定手段による、回答文と、前記第三の設問・解答肢データベース中の前記選択された設問に関連付けられて記憶されている正解文とを比較・判定する処理は、あらかじめ定められている前記正解文中におけるキーワードが前記回答文中に登場する程度、又は、あらかじめ定められている前記正解文中におけるキーワードが前記回答文中に登場する程度と当該キーワードが前記回答文中に登場するあらかじめ定められている順序とに基づいて行われるので、設問に対してあらかじめ定められていた正解文とほぼ完全に一致していなければ正解と判定されない、というような従来のコンピュータ利用の学習システムに存在していた不都合を解消することができ、判定する者がある程度の裁量の範囲で添削処理する場合に近い感覚で学習指導を受けることができる。
【００７２】
前述した本発明の更に他の学習システムも、第三の回答欄表示手段、第三の回答情報表示手段、第三の回答判定手段、第三の判定情報表示手段、第三の添削情報表示手段の前述した各処理動作をコンピュータに行わせるコンピュータプログラムをコンピュータで実行させることにより実現できるものである。
【００７３】
次に、前記目的を達成するため、この発明が提案する更に他のコンピュータを利用した学習システムは、設問と当該設問に対する正、誤いずれかの解答とが対になっている一つの基本問題と、当該基本問題と正解が反対になるように当該基本問題の設問の文章表現が変更されている修正設問と前記基本問題と正解が反対になっている当該修正設問に対する解答とが対になっている修正問題を少なくとも一個含む前記基本問題の設問の文章表現が変更されている修正設問と当該修正設問に対する正、誤いずれかの解答とが対になっている少なくとも一個以上の修正問題とからなる設問―選択肢グループが少なくとも一グループ以上記憶されている第四の設問・解答肢データベース中から一個の設問―選択肢グループが選択されるたびごとに、当該選択された設問―選択肢グループに属する前記一個の基本問題及び前記少なくとも一個以上の修正問題の総てを画面に表示する順序を無作為的に決定する設問出力順序選定手段を備えていることを特徴とするものである。
【００７４】
このコンピュータを利用した学習システムによれば、前述した第四の設問・解答肢データベースには、少なくとも一グループ以上の設問―選択肢グループが記憶されている。そして、各設問―選択肢グループは、設問と当該設問に対する正、誤いずれかの解答とが対になっている一つの基本問題と、当該基本問題の設問の文章表現が変更されている修正設問と当該修正設問に対する正、誤いずれかの解答とが対になっている少なくとも一個以上の修正問題とから構成されている。そして、この修正問題の中には、「基本問題と正解が反対になるように基本問題の設問の文章表現が変更されている修正設問と、基本問題と正解が反対になっている当該修正設問に対する解答とが対になっている修正問題」が少なくとも一個含まれている。
【００７５】
設問出力順序選定手段によって、この第四の設問・解答肢データベース中から一個の設問―選択肢グループが選択されるたびごとに、当該選択された設問―選択肢グループに属する前記一個の基本問題及び前記少なくとも一個以上の修正問題の総てを画面に表示する順序が無作為的に決定される。そこで、学習者が、このコンピュータを利用した学習システムを利用するたびごとに、基本問題と、この基本問題に関連している修正問題の出題順序が変更されて、ランダムな順番で、コンピュータの画面に表示されてくる。
【００７６】
そこで、学習者（回答者）は、何度繰り返して学習しても、学習するたびごとに基本問題と、この基本問題に関連している修正問題の出題順序が変更されているので、前記の修正問題が含まれていることによって、問題文の字面とこの字面に対する答（正、誤いずれか）を覚えるというやり方では対応できなくなることに加えて、一番目は正、二番目は誤、三番目は誤のように、出題順序によって答を覚え覚えるというやり方でも対応できなくなり、コンピュータの画面に表示される設問ごとによく読み、よく考える必要が生じ、学習の効果が向上することになる。
【００７７】
この学習システムも、設問出力順序選定手段の前述した処理動作をコンピュータに行わせるコンピュータプログラムをコンピュータで実行させることにより実現できる。
【００７８】
前記本発明のいずれの学習システムにおいても、設問の選択、あるいは設問―選択肢グループの選択は、例えば、本発明のコンピュータを利用する学習システムを利用する学習者（回答者）が、例えば、キーボード、ポインティングデバイス等のコンピュータに備えられている情報取得手段を介して入力することにより行われる。
【００７９】
例えば、本発明の学習システムを実現するパーソナルコンピュータにおいて、前述した本発明の学習システムをコンピュータで実行させるコンピュータプログラムを立ち上げることにより、本発明の学習システムに具備されている設問表示手段によって、当該パーソナルコンピュータの画面に表示される複数の設問（第一の設問・解答肢データベース、第二の設問・解答肢データベース、第三の設問・解答肢データベース、第四の設問・解答肢データベースに記憶されている設問）の中から、学習者（回答者）が、あらかじめ定められている設問１、設問２、設問３、……、等の出題順、設問―選択肢グループ１、設問―選択肢グループ２、設問―選択肢グループ３、………、等の出題順にとらわれずに、任意に選択して、キーボードなどによって回答する設問、設問―選択肢グループを選択する指示を入力することにより設問、設問―選択肢グループを選択することができる。このようにすれば、学習者（回答者）が、自分の意思に基づいて、能動的に、回答する問題を選択しながら学習を進めることができる。実際の試験を受ける場合、受験者は、確実に得点をあげることができるように、得意の問題から順に回答していくのが一般的であるが、このようにすれば、実際の試験を受けて、回答しているような状態で学習を進めることができる。
【００８０】
なお、本発明のコンピュータを利用する学習システムをコンピュータにおいて実現させるコンピュータプログラムの命令に応じて、第一の設問・解答肢データベース、第二の設問・解答肢データベース、第三の設問・解答肢データベース、第四の設問・解答肢データベースに記憶されている設問、設問―選択肢グループの中から、前記のコンピュータプログラムによってあらかじめ定められている順番で設問、設問―選択肢グループが選択されるようにすることもできる。
【００８１】
以下、添付図面を参照して本発明の好ましい実施形態を説明する。
【００８２】
【実施例１】
図１は、この発明のコンピュータを利用した学習システム１の概略構成を示すものであり、図３は、図１図示の学習システム１によって学習が行われるプロセスを説明するフロー図である。キーボードや、ポインティングデバイス、あるいはマイクなどの音声情報取得手段などからなる情報取得手段６を備えているコンピュータの記憶部２には第一の設問・解答肢データベース３が備えられており、また、ＣＰＵからなるコンピュータの処理動作部には、第一の回答欄表示手段４、解答肢表示手段５、第一の回答情報表示手段７、第一の回答判定手段８、第一の判定情報表示手段９、第一の添削情報表示手段１０、第一の削除情報表示手段１１が備えられている。
【００８３】
図２は、第一の設問・解答肢データベース３に格納されているデータ構造の概略を説明するものであり、設問と、当該設問に対する一又は複数の正解と少なくとも１個以上の不正解例とからなる複数の解答肢とが関連付けられて記憶されている。
【００８４】
キーボードや、ポインティングデバイスなどによって学習者（回答者）が設問を選択すると（ステップ１０１）、第一の回答欄表示手段４によって、選択された設問に対する正解の数以上の数の回答欄がコンピュータの画面に画像表示される。
【００８５】
例えば、設問１が選択された場合、正解はＸとＹの２個であるので、コンピュータの画面には、この正解の数以上の、例えば、図４図示のように４個の回答欄が表示される（ステップ１０２）。
【００８６】
次に、解答肢表示手段５によって、前記の選択された設問（前記の場合、設問１）に関連付けられて第一の設問・解答肢データベース３中に記憶されている複数の解答肢（Ｘ、Ｘ１、Ｘ２、Ｙ、Ｙ１、Ｙ２）が、図４図示のように、コンピュータの画面に画像表示される（ステップ１０３）。
【００８７】
なお、ステップ１０２とステップ１０３とが同時に実行され、図４図示のように、コンピュータの画面に、回答欄と複数の解答肢とが同時に表示されるようにすることもできるし、最初に、ステップ１０２で回答欄のみ表示され、次いでステップ１０３で回答欄と複数の解答肢とが画面に表示されるようにすることもできる。
【００８８】
次に、学習者（回答者）が画像表示されている複数の解答肢中から解答肢を選択してキーボードで回答（Ｘ、Ｙ２、Ｙ１）を入力すると（ステップ１０４）、第一の回答情報表示手段７が、キーボードからの入力によって取得した回答情報に従って、回答情報で取得した解答肢（Ｘ、Ｙ２、Ｙ１）を、画像表示されている回答欄中に、図５図示のように表示する（ステップ１０５）。
【００８９】
次いで、学習者（回答者）が、回答を終えたと判断して、第一の回答判定手段８による比較・判定処理の実行を求めるという指示を情報取得手段６から入力すると（ステップ１０６）、第一の回答判定手段８が、キーボードからの入力によって取得した回答情報（解答肢  Ｘ、Ｙ２、Ｙ１）と、第一の設問・解答肢データベース３中の前記選択された設問（設問１）に関連付けられて記憶されている正解（Ｘ、Ｙ）とを比較・判定する（ステップ１０７）。
【００９０】
この第一の回答判定手段８の判定結果に基づき、第一の判定情報表示手段９が、回答欄中において、回答欄に表示されている回答情報中、正解について正解であることを、図６図示のように、ハイライト表示する（ステップ１０８）。
【００９１】
この実施例１の場合、第一の設問・解答肢データベース３中の前記選択された設問（設問１）に関連付けられて記憶されている正解（Ｘ、Ｙ）であって、第一の回答判定手段８で不正解と判定された回答情報（Ｙ１、Ｙ２）に置き換えられるべき正解（Ｙ）が存在するので、第一の添削情報表示手段１０が、当該正解（Ｙ）を、図７図示のように、回答欄に表示する（ステップ１０９）。なお、この図７図示の場合には、総ての正解であるＸとＹの双方を表示しているが、置き換えられるべき正解Ｙのみを表示するようにすることもできる。
【００９２】
こうして、学習者（回答者）は、複数の解答肢（Ｘ、Ｘ１、Ｘ２、Ｙ、Ｙ１、Ｙ２）の中から回答欄の数（前記の場合４個）に等しい数だけ回答を選択して入力すると全体としては正解にならなくなるので、正確な知識を身に付けるよう促されることになる。
【００９３】
なお前記において、ステップ１０４で学習者（回答者）が正解（Ｘ、Ｙ）のみを選択して入力していた場合、ステップ１０７で第一の回答判定手段８が行う判定の結果は「回答は正解」ということになるので、ステップ１０８での第一の判定情報表示手段９が行う表示は、図８図示のように、どちらも正解であることを示すもののみになる。そこで、この場合は、第一の添削情報表示手段１０による、前記のステップ１０９の処理動作は行われないことになる。
【００９４】
また、前記において、ステップ１０４で学習者（回答者）が正解（Ｘ、Ｙ）の他に、不正解（例えば、Ｘ１）を選択して入力していた場合、第一の添削情報表示手段１０による、前記のステップ１０９の処理動作では、回答欄に表示されているＸ１に、図９図示のように削除線が引かれることになる。
【００９５】
すなわち、第一の設問・解答肢データベース３中の選択された設問に関連付けられて記憶されている正解であって、第一の回答判定手段８で不正解と判定された回答情報に置き換えられるべき正解が存在しない場合、即ち、正解は総て回答されているが、正解以外に不正解もが回答情報として与えられている場合に、当該不正解と判定された回答情報を削除すべき旨を表示する情報をコンピュータの画面などに画像表示する第一の削除情報表示手段１１を更に備えている構成にし、このような場合には、不正解と判定された回答情報を削除すべき旨を表示する情報がコンピュータの画面などに画像表示される（ステップ１１０）のである。
【００９６】
以上説明した実施例１では、本発明の学習システム側が、学習者（回答者）から、「第一の回答判定手段８による比較・判定処理の実行を求めるという指示の入力」を受けた（ステップ１０６）後に、第一の回答判定手段８による比較・判定処理（ステップ１０７）が実行されていたが、これと異なり、学習者（回答者）がキーボード、ポインティングディバイス等のコンピュータに備えられている情報取得手段６を用いて回答情報を入力すると（ステップ１０４、１０５）、自動的に第一の回答判定手段８による比較・判定処理が開始され（ステップ１０７）、引き続いて、前述した第一の判定情報表示手段９、第一の添削情報表示手段１０、必要な場合には、第一の削除情報表示手段１１による処理が行われるようにすることもできる。
【００９７】
【実施例２】
図１０は、この発明のコンピュータを利用した他の学習システム２１の概略構成を示すものであり、図１２は、図１０図示の学習システム２１によって学習が行われるプロセスを説明するフロー図である。キーボードや、ポインティングデバイス、あるいはマイクなどの音声情報取得手段などからなる情報取得手段２６を備えているコンピュータの記憶部２２には第二の設問・解答肢データベース２３が備えられており、また、ＣＰＵからなるコンピュータの処理動作部には、第二の回答欄表示手段２４、解答文節群表示手段２５、第二の回答情報表示手段２７、確定回答表示手段３２、第二の回答判定手段２８、第二の判定情報表示手段２９、第二の添削情報表示手段３０、第二の削除情報表示手段３１が備えられている。
【００９８】
図１１は、第二の設問・解答肢データベース２３に格納されているデータ構造の概略を説明するものであり、設問と、当該設問に対する１又は複数の正解文（図１１図示の場合は２個の正解文）と、当該１又は複数の各正解文を複数の文節に分けた複数の正解文節（図１１図示の場合は２個の正解文が、それぞれ、６個の文節に分けられている）と、当該各正解文節ごとにあらかじめ定められている少なくとも１個以上の不正解文節例とが関連付けられて記憶されている。図１１図示の場合は、先頭から１番目、２番目、３番目の文節には、それぞれ２個ずつの不正解文節例が、先頭から４番目、６番目の文節には、それぞれ３個ずつの不正解文節例が、先頭から５番目の文節には４個の不正解文節例が各２個ずつの正解文節と関連付けられて記憶されている。
【００９９】
キーボードや、ポインティングデバイスなどによって学習者（回答者）が設問を選択すると（ステップ２０１）、第二の回答欄表示手段２４によって、選択された設問に対する正解文の数以上の数の回答欄がコンピュータの画面に表示される（ステップ２０２）。例えば、図１１図示の設問が選択された場合、正解文は２個であるので、図１３（ａ）図示のように、例えば、２個の回答欄がコンピュータの画面に表示される。
【０１００】
次いで、解答文節群表示手段２５によって、前記の選択された設問に関連付けられて記憶されている複数の正解文節と、当該各正解文節ごとにあらかじめ定められている前記少なくとも１個以上の不正解文節例とが、前記正解文を複数に分けた各正解文節と当該各正解文節に対してあらかじめ定められている少なくとも１個以上の不正解文節例のグループに分けて、例えば、図１３（ｂ）図示のように、各グループ（文節群１、文節群２、文節群３、文節群４、文節群５、文節群）ごとにコンピュータの画面に画像表示される（ステップ２０３）。
【０１０１】
図１１の設問の場合、前記のように、正解文は２個で、これがそれぞれ６個の文節に分けられ、先頭から１番目、２番目、３番目の文節には、それぞれ２個ずつの不正解文節例、先頭から４番目、６番目の文節には、それぞれ３個ずつの不正解文節例、先頭から５番目の文節には４個の不正解文節例が前記の各２個ずつの正解文節と関連付けられて第二の設問・解答肢データベース２３に記憶されており、これらが、例えば、図１３（ｂ）図示のように、６として表示される。
【０１０２】
なお、ステップ２０２とステップ２０３とが同時に実行され、図１３（ａ）、（ｂ）が同時にコンピュータの画面に表示されるようにすることもできるし、最初に、ステップ２０２で図１３（ａ）の回答欄のみ表示され、次いでステップ２０３で図１３（ａ）の回答欄と図１３（ｂ）複数の解答文節群が画面に表示されるようにすることもできる。
【０１０３】
次いで、学習者（回答者）が、キーボード、ポインティングデバイス等のコンピュータに備えられている情報取得手段２６を介して、例えば、文節群１からは「甲が」を選ぶ、文節群２からは「乙に対して」を選ぶ、文節群３からは「乙が」を選ぶ、文節群４からは「◎◎している」を選ぶ、文節群５からは「Ａを」を選ぶ、文節群６からは「××する行為。」を選ぶ、のように回答情報を入力すると（ステップ２０４）、
そうすると、第二の回答情報表示手段２７が、解答文節群として各グループ（文節群１〜６）ごとに画像表示されている正解文を複数に分けた各正解文節と当該各正解文節に対してあらかじめ定められている少なくとも１個以上の不正解文節例の各グループ中から、取得した回答情報に従って、正解文節又は不正解文節を取り出し、情報取得手段２６で取得した回答情報に含まれている順位情報に従って並べて回答文として、コンピュータの画面などに画像表示されている回答文作製作業欄に、図１４図示のように画像表示する（ステップ２０５）。
【０１０４】
なお、ここで、順位情報は、図１３（ｂ）図示の場合は、文節群１〜６と一番目になる文節〜六番目になる文節まで順位付けられており、学習者（回答者）が各グループ（文節群１〜６）から文節を選択し、取り出すことを指示すると、その選択した回答情報に自動的に順位情報が含まれている構成になっている。
【０１０５】
これとは別に、図１３（ｂ）図示のような順位付けがされておらず、ランダムに各文節群グループが並べられているだけなので、学習者（回答者）が各グループから選択し、取り出すことを指示した文節ごとに、第一番目になる文節、第二番目になる文節、第三番目になる文節、等々の順位情報をも、情報取得手段２６を通して入力することもできる。
【０１０６】
次ぎに、学習者（回答者）が情報取得手段２６を介して確定情報を入力すると（ステップ２０６）、確定回答表示手段３２が、この情報取得手段２６で取得した確定情報に基づき、回答文作製作業欄に図１４のように画像表示されている回答文を、図１５図示のように、回答欄に表示する処理を行う（ステップ２０７）。
【０１０７】
この実施例で選択された設問の場合、図１３（ａ）図示のように回答欄が２個表示されていたので、学習者（回答者）が前述したステップ２０４〜２０７を繰り返して、図１６の回答文作成作業欄に表示された回答文を作成し、確定情報を入力してこれを確定すると、図１７図示の回答欄のように、２個の回答文が２個の回答欄にそれぞれ挿入される。
【０１０８】
なお、ステップ２０６で確定情報を入力する前に、図１４、図１６図示のように回答文作成作業欄に表示された回答文を幾度も修正することが可能であり、変更したいと考える文節を対応する文節の他の文節例に何度でも取り替えることが可能である。
【０１０９】
次いで、学習者（回答者）が、回答を終えたと判断して、第二の回答判定手段２８による比較・判定処理の実行を求めるという指示を情報取得手段２６を介し手入力すると（ステップ２０８）、第二の回答判定手段２８が、図１７のように回答欄に表示されている回答文と、第二の設問・解答肢データベース２３中の図１１図示の選択された設問に関連付けられて記憶されている正解文及び／又は各正解文における複数の正解文節とを比較・判定する（ステップ２０９）。
【０１１０】
この第二の解答判定手段２８は、回答文の全体が正解文に合っているかどうか、あるいは、回答文を複数の文節に分けた各文節が、各正解文節に合っているかどうか、あるいは、回答文の全体として正解文に合っているかどうか、なおかつ、回答文を複数の文節に分けた各文節が各正解文節に合っているかどうかを判定するコンピュータの処理動作部であるが、図示の例では、回答文の全体が正解文に合っているかどうかを判定する処理が行われている場合が説明されている。
【０１１１】
図１７図示の解答欄に回答された回答文章では、「乙が甲に対して乙が△△しているＢを□□する行為。」は正解であるが、「甲が乙に対して乙が◎◎しているＡを××する行為。」は不正解である。
【０１１２】
そこで、第二の回答判定手段２８が学習者（回答者）から入力された比較・判定処理実行指示に応じて比較・判定処理（ステップ２０９）を行うと、第二の判定情報表示手段２９が、第二の回答判定手段２８の判定結果に基づき、回答欄中において、回答欄に表示されている回答文中、正解の回答文又は不正解の回答文のいずれか一方、又はこれらの双方、若しくは、当該回答欄に表示されている回答文中の、正解文節又は不正解の文節のいずれか一方、又はこれらの双方、についてそれぞれ正解又は不正解であることを表示する（ステップ２１１）。
【０１１３】
図１８では、第二の判定情報表示手段２９によって、回答欄に表示されている回答文中、正解の回答文について正解であることがハイライト表示されている。
【０１１４】
次に、前記の場合、第二の設問・解答肢データベース２３中の前記選択された設問（図１１）に関連付けられて記憶されている正解文であって第二の回答判定手段２８で不正解と判定された回答文に置き換えられるべき正解文が存在しているので、第二の添削情報表示手段３０によって、当該不正解と判定された回答文に置き換えられるべき正解文が図１９図示のように、コンピュータの画面などに画像表示される（ステップ２１１）。図１９のっ場合は、不正解と判定された回答文に置き換えられるべき正解文だけでなく、解答肢データベース２３中の前記選択された設問（図１１）に関連付けられて記憶されている２個の正解文が画面に表示されている。
【０１１５】
なお、以上の実施例２を説明する図面には登場していないが、第二の設問・解答肢データベース２３中の選択された設問に関連付けられて記憶されている正解であって、第二の回答判定手段２８で不正解と判定された回答情報に置き換えられるべき正解は存在しない場合、即ち、正解は総て回答されているが、正解以外に不正解もが回答情報として与えられている場合に、第二の削除情報表示手段３１によって、当該不正解と判定された回等情報を削除すべき旨を表示する情報がコンピュータの画面に画像表示されることになる（ステップ２１２）。これによって、例えば、回答欄に回答されている回答文であって削除すべきものに削除線が引かれたりする。
【０１１６】
なお、以上説明した実施例２では、本発明の学習システム側が、学習者（回答者）から、「第二の回答判定手段２８による比較・判定処理の実行を求めるという指示の入力」を受けた（ステップ２０８）後に、第二の回答判定手段２８による比較・判定処理（ステップ２０９）が実行されていたが、これと異なり、学習者（回答者）がキーボード、ポインティングディバイス等のコンピュータに備えられている情報取得手段２６を用いて回答情報を入力すると（ステップ２０４〜２０７）、自動的に第二の回答判定手段２８による比較・判定処理が開始され（ステップ２０９）、引き続いて、前述した第二の判定情報表示手段２９、第二の添削情報表示手段３０、必要な場合には、第二の削除情報表示手段３１による処理が行われるようにすることもできる。
【０１１７】
【実施例３】
図２０は、この発明のコンピュータを利用した他の学習システム４１の概略構成を示すものであり、図２２は、図２０図示の学習システム４１によって学習が行われるプロセスを説明するフロー図である。キーボードや、ポインティングデバイス、あるいはマイクなどの音声情報取得手段などからなる情報取得手段４６を備えているコンピュータの記憶部４２には第三の設問・解答肢データベース４３が備えられており、また、ＣＰＵからなるコンピュータの処理動作部には、第三の回答欄表示手段４４、第三の回答情報表示手段４７、第三の回答判定手段４８、第三の判定情報表示手段４９、第三の添削情報表示手段５０が備えられている。
【０１１８】
図２１は、第三の設問・解答肢データベース４３に格納されているデータ構造の概略を説明するものであり、設問と当該設問に対する一又は複数の正解文、又は、設問と当該設問に対する一又は複数の正解文と当該正解文中においてあらかじめ定められている一又は複数のキーワード、又は、設問と当該設問に対する一又は複数の正解文と当該正解文中においてあらかじめ定められている一又は複数のキーワードと当該キーワードが前記正解文中に登場するあらかじめ定められている順番、とが関連付けられて記憶されている。
【０１１９】
ここで、キーワードとしては、たとえば、正解文を構築する上で必ず登場する必要のある単語や文節を用いることができる。また、正解文中のキーワードとなる一つの単語や、一つの文節、等に対して、同様の意味内容・意義を有していたり、同様の法律効果を生じさせる他の単語や文節をキーワードとして定めておくことができる。
【０１２０】
例えば、図２１図示の例では、設問に対して、正解文は２つあり、正解文１では、キーワードは乙、甲、Ａ、△△、この△△と同様の意味内容・意義を有している□□、正解文２では、キーワードは甲、乙、Ａ、○○、この○○と同様の法律効果を生じさせる◎◎が定められている。
【０１２１】
まず、キーボード、ポインティングデバイス等のコンピュータに備えられている情報取得手段４６を介して学習者（回答者）が設問（例えば、図２１図示の設問）を選択すると（ステップ３０１）、第三の回答欄表示手段４４によって、当該設問に対する正解文の数以上の数の回答欄が画像表示される（ステップ３０２）。
【０１２２】
例えば、選択された図２１図示の設問に対しては２個の正解文があるので、図２３図示のように３個の回答欄が表示される。
【０１２３】
そこで、学習者（回答者）が、キーボードを介して文章を作成して回答文を入力すると（ステップ３０３）、第三の回答情報表示手段４７によって回答文が、図２３のように画像表示されていた回答欄中に、図２４のように表示される（ステップ３０４）。
【０１２４】
次いで、学習者（回答者）が、回答を終えたと判断して、第三の回答判定手段４８による比較・判定処理の実行を求めるという指示を情報取得手段４６から入力すると（ステップ３０５）、第三の回答判定手段４８が、情報取得手段４６で取得した回答文（図２４図示）と、第三の設問・解答肢データベース４３中の選択された設問（図２１図示）に関連付けられて記憶されている正解文とを比較・判定する（ステップ３０６）。
【０１２５】
なお、学習者（回答者）は、キーボード等のコンピュータが備えている情報取得手段を介して比較・判定処理実行指示を入力するまでは、図２４図示の回答文を種々に変更、修正することが可能である。
【０１２６】
第三の回答判定手段４８による、回答文（図２４図示）と、第三の設問・解答肢データベース４３中の選択された設問（図２１図示）に関連付けられて記憶されている正解文とを比較・判定する処理は、図２１図示のようにあらかじめ定められている正解文１、２中におけるキーワードが回答文中に登場する程度、又は、あらかじめ定められている正解文中におけるキーワードが回答文中に登場する程度と当該キーワードが回答文中に登場するあらかじめ定められている順序とに基づいて行われる。
【０１２７】
この実施例の場合、回答文は正解文１と同一ではないが、正解文１に関してあらかじめ定められていたキーワードが、その定められていた順序どおりに登場しているので、第三の回答判定手段４８による判定は、「正解」ということになる。
【０１２８】
そこで、第三の判定情報表示手段４９、第三の回答判定手段４８の判定結果に基づき、回答欄に表示されている回答文が正解であることを、図２５図示のようにハイライト表示する（ステップ３０７）。
【０１２９】
次に、第三の添削情報表示手段５０が、第三の設問・解答肢データベース４３中の前記選択された設問（図２１）に関連付けられて記憶されている正解文（正解文１、２）を図２６のようにコンピュータの画面などに画像表示する（ステプ３０８）。
【０１３０】
このステップ３０８において、正解文１、２を表示するだけでなく、図２１図示のキーワード、その登場する順序も含めて表示することもできる。
【０１３１】
以上説明した実施例３では、本発明の学習システム側が、学習者（回答者）から、「第三の回答判定手段４８による比較・判定処理の実行を求めるという指示の入力」を受けた（ステップ３０５）後に、第三の回答判定手段４８による比較・判定処理（ステップ３０６）が実行されていたが、これと異なり、学習者（回答者）がキーボード等のコンピュータに備えられている情報取得手段４６を用いて回答文を入力すると（ステップ３０４）、自動的に第三の回答判定手段４８による比較・判定処理が開始され（ステップ３０６）、引き続いて、前述した第三の判定情報表示手段４９、第三の添削情報表示手段５０による処理が行われるようにすることもできる
【０１３２】
【実施例４】
図２７は、この発明のコンピュータを利用した他の学習システム６１の概略構成を示すものであり、図２９は、図２７図示の学習システム６１によって学習が行われるプロセスを説明するフロー図である。キーボードや、ポインティングデバイス、あるいはマイクなどの音声情報取得手段などからなる情報取得手段６６を備えているコンピュータの記憶部６２には第四の設問・解答肢データベース６３が備えられており、また、ＣＰＵからなるコンピュータの処理動作部には、設問出力順序選定手段７０が備えられている。
【０１３３】
図２８は、第四の設問・解答肢データベース６３に格納されているデータ構造の概略を説明するものである。
【０１３４】
図２８図示の場合、設問１０２と当該設問１０２に対する正、誤いずれかの解答（設問１０２の場合正である〇）とが対になっている一つの基本問題１０１と、基本問題１０１と正解が反対になるように当該基本問題１０１の設問の文章表現が変更されている修正設問１０４と前記基本問題１０１と正解が反対になっている当該修正設問１０４に対する解答（修正設問１０４の場合、設問１０２に対する正解〇の反対である誤：×）とが対になっている修正問題１０３を少なくとも一個含む前記基本問題１０１の設問の文章表現が変更されている修正設問１０４、１０６と当該修正設問１０４、１０６に対する正、誤いずれかの解答（修正設問１０４に対する解答は誤である×、修正設問１０６に対する解答は正である〇）とが対になっている少なくとも一個以上の修正問題１０３、１０５とからなる設問―選択肢グループが少なくとも一グループ以上記憶されている（図２８図示の場合、前述した、設問―選択肢グループ１の他に、設問―選択肢グループ２が記憶されている。）。
【０１３５】
この実施例の学習システムを用いて学習する場合、学習者（回答者）は、コンピュータの画面に表示されている各設問―選択肢グループを指標する記号・文字（例えば、法律の条文番号など）の一覧の中から、キーボード、ポインティングデバイス等のコンピュータに備えられている情報取得手段６６を介して第四の設問・解答肢データベース６３中から一個の設問―選択肢グループを選択する（ステップ４０１）。例えば、このステップ４０１で設問―選択肢グループ３０１が選択されたとする。
【０１３６】
この選択が行われると、設問出力順序選定手段７０が当該選択された設問―選択肢グループ３０１に属する前記一個の基本問題１０１及び前記少なくとも一個以上の修正問題１０３、１０５の総てを画面に表示する順序を無作為的に決定する（ステップ４０２）。
【０１３７】
ここで例えば、修正問題１０５、基本問題１０１、修正問題１０３の順で出力するように選定されたとすると、まず、コンピュータの画面に修正問題１０５の修正設問１０６が表示される。学習者（回答者）がこれに対して、正、誤いずれかを判定して回答を入力すると、この入力された回答が正しいかどうかの判定、正解（この場合「〇」）の画面への表示が行われる。引き続いて、基本問題１０１の設問１０２が画面に表示され、同様の工程を経て、次に、修正問題１０３修正設問１０４が画面に表示され、同様の工程を経て学習が進められる。
【０１３８】
その後、学習者が、ステップ４０１であらためて設問―選択肢グループ３０１を選択すると、ステップ４０２で、設問出力順序選定手段７０が当該選択された設問―選択肢グループ３０１に属する一個の基本問題１０１及び少なくとも一個以上の修正問題１０３、１０５の総てを画面に表示する順序を無作為的に決定するが、この決定は無作為に行われるので、例えば、修正問題１０３、修正問題１０５、基本問題１０１の順で出力するような選定が行われることになる。
【０１３９】
このように、学習者（回答者）が、このコンピュータを利用した学習システムを利用するたびごとに、基本問題と、この基本問題に関連している修正問題の出題順序が変更されて、ランダムな順番で、コンピュータの画面に表示されてくるので、修正問題１０３、１０５が含まれていることによって、問題文の字面とこの字面に対する答（正、誤いずれか）を覚えるというやり方では対応できなくなることに加えて、一番目は正、二番目は誤、三番目は誤のように、出題順序によって答を覚え覚えるというやり方でも対応できなくなり、コンピュータの画面に表示される設問ごとによく読み、よく考える必要が生じ、学習の効果が向上することになる。
【０１４０】
以上、添付図面を参照して本発明の好ましい実施形態を説明してきたが本発明はかかる実施形態に限定されるものではなく、特許請求の範囲の記載から把握される技術的範囲において種々の形態に変更可能である。
【０１４１】
【発明の効果】
この発明によれば、学習者（回答者）が、複数の設問全体を見て、その中から、あらかじめ定められている設問順にとらわれず、回答したい設問を任意に選択して回答できる形式のコンピュータ学習システムであって、学習者（回答者）がより効率よく、より正確な知識の習得を図ることを促すコンピュータ学習システムを提供することができる。
【０１４２】
また、この発明によれば、学習者（回答者）が、複数の設問全体を見て、その中から、あらかじめ定められている設問順にとらわれず、回答したい設問を任意に選択して回答できる形式のコンピュータ学習システムであって、設問に対して文章で回答する形式の場合に、一まとまりの文章として知識を習得するだけでなく、解答文を複数の文節に分け、正解文を構成する各文節と、当該正解文を構成する各文節の並ぶ順序・組み合わせをより正確に身につけることを促し、更に、設問に対して文章で回答する形式の場合であって、学習者（回答者）が自分で回答文を作成して回答するときに、設問に対してあらかじめ定められている正解文と回答文とが完全に一致していなくても、一定の範囲内では正解として取り扱うことを可能にできるコンピュータ学習システムを提供することができる。
【０１４３】
更に、多肢選択式の試験に対する勉強用に本発明のコンピュータを利用した学習システムを利用すれば、学習者（回答者）がこの学習システムを利用するたびごとに、基本問題と、この基本問題に関連している修正問題の出題順序が変更されて、ランダムな順番で、コンピュータの画面に表示されてくるので、学習者（回答者）は、問題文の字面とこの字面に対する答（正、誤いずれか）を覚えるというやり方では対応できなくなることに加えて、一番目は正、二番目は誤、三番目は誤のように、出題順序によって答を覚え覚えるというやり方でも対応できなくなり、コンピュータの画面に表示される設問ごとによく読み、よく考える必要が生じ、学習の効果が向上することになる
【図面の簡単な説明】
【図１】この発明のコンピュータを利用した学習システムの概略構成を示す図。
【図２】第一の設問・解答肢データベースに格納されているデータ構造の概略を説明する図。
【図３】図１図示の学習システムによって学習が行われるプロセスを説明するフロー図。
【図４】回答欄が表示された状態を表す図。
【図５】回答情報で取得した解答肢が回答欄中に表示された状態を表す図。
【図６】回答欄に表示されている回答情報中、正解について正解であることがハイライト表示されている状態を説明する図。
【図７】第一の添削情報表示手段によって正解（Ｙ）が表示された状態を表す図。
【図８】回答欄に表示されている回答がどちらも正解であることを示している状態を説明する図。
【図９】回答欄に表示されている回答中、不正解について削除線が引かれた状態を表す図。
【図１０】この発明のコンピュータを利用した他の学習システムの概略構成を示す図。
【図１１】第二の設問・解答肢データベースに格納されているデータ構造の概略を説明する図。
【図１２】図１０図示の学習システムによって学習が行われるプロセスを説明するフロー図。
【図１３】（ａ）２個の回答欄がコンピュータの画面に表示された状態を表す図、（ｂ）各グループ（文節群１、文節群２、文節群３、文節群４、文節群５、文節群）ごとにコンピュータの画面に画像表示されている状態を表す図。
【図１４】回答文作製作業欄に回答文が表示された状態を説明する図。
【図１５】回答欄に回答文が表示された状態を説明する図。
【図１６】回答文作製作業欄に回答文が表示された状態を説明する図。
【図１７】回答欄に２個の回答文が表示された状態を説明する図。
【図１８】回答欄に表示されている回答文中、正解の回答文について正解であることがハイライト表示されている状態を説明する図。
【図１９】不正解と判定された回答文に置き換えられるべき正解文が画面に表示された状態を説明する図。
【図２０】この発明のコンピュータを利用した他の学習システムの概略構成を示す図。
【図２１】第三の設問・解答肢データベースに格納されているデータ構造の概略を説明する図。
【図２２】図２０図示の学習システムによって学習が行われるプロセスを説明するフロー図。
【図２３】設問に対する正解文の数以上の数の回答欄（３個の回答欄）が表示された状態を説明する図。
【図２４】回答文回答欄中に表示された状態を表す図。
【図２５】回答欄に表示されている回答文が正解であることをハイライト表示している状態を説明する図。
【図２６】正解文が表示された状態を説明する図。
【図２７】この発明のコンピュータを利用した他の学習システムの概略構成を示す図。
【図２８】第四の設問・解答肢データベースに格納されているデータ構造の概略を説明する図。
【図２９】図２７図示の学習システムによって学習が行われるプロセスを説明するフロー図。
【符号の説明】
１    学習システム
２    コンピュータの記憶部
３    第一の設問・解答肢データベース
４    第一の回答欄表示手段
５    解答肢表示手段
６    情報取得手段
７    第一の回答情報表示手段
８    第一の回答判定手段
９    第一の判定情報表示手段
１０  第一の添削情報表示手段
１１  第一の削除情報表示手段
２１  学習システム
２２  コンピュータの記憶部
２３  第二の設問・解答肢データベース
２４  第二の回答欄表示手段
２５  解答文節群表示手段
２６  情報取得手段
２７  第二の回答情報表示手段
３２  確定回答表示手段
２８  第二の回答判定手段
２９  第二の判定情報表示手段
３０  第二の添削情報表示手段
３１  第二の削除情報表示手段
４１  学習システム
４２  コンピュータの記憶部
４３  第三の設問・解答肢データベース
４４  第三の回答欄表示手段
４６  情報取得手段
４７  第三の回答情報表示手段
４８  第三の回答判定手段
４９  第三の判定情報表示手段
５０  第三の添削情報表示手段
６１  学習システム
６２  コンピュータの記憶部
６３  第四の設問・解答肢データベース
６６  情報取得手段
７０  設問出力順序選定手段
【図１】
2004258403.tif 000003
【図２】
2004258403.tif 000004
【図３】
2004258403.tif 000005
【図４】
2004258403.tif 000006
【図５】
2004258403.tif 000007
【図６】
2004258403.tif 000008
【図７】
2004258403.tif 000009
【図８】
2004258403.tif 000010
【図９】
2004258403.tif 000011
【図１０】
2004258403.tif 000012
【図１１】
2004258403.tif 000013
【図１２】
2004258403.tif 000014
【図１３】
2004258403.tif 000015
【図１４】
2004258403.tif 000016
【図１５】
2004258403.tif 000017
【図１６】
2004258403.tif 000018
【図１７】
2004258403.tif 000019
【図１８】
2004258403.tif 000020
【図１９】
2004258403.tif 000021
【図２０】
2004258403.tif 000022
【図２１】
2004258403.tif 000023
【図２２】
2004258403.tif 000024
【図２３】
2004258403.tif 000025
【図２４】
2004258403.tif 000026
【図２５】
2004258403.tif 000027
【図２６】
2004258403.tif 000028
【図２７】
2004258403.tif 000029
【図２８】
2004258403.tif 000030
【図２９】
2004258403.tif 000031